(57)【要約】【課題】  従来の車両の操作ペダルに装着する車両用ペダルカバーは操作ペダルの形状が大きく変形している場合には取り付けることができないという欠点があった。【解決手段】  本発明の車両用ペダルカバーは、車両の操作ペダルの表面側にその裏面側を被せるペダルカバー本体と、上記ペダルカバー本体の裏面側の上下何れか一方の左右部分に基端を取り付けた左右の取付爪と、上記上下何れか他方の左右部分に両端を取り付けたアーム部材とより成り、上記取付爪の先端が上記アーム部材と上記ペダルカバー本体間に挿入される位置まで延び、上記車両の操作ペダルが上記取付爪と上記ペダルカバー本体との間に挟持固定されることを特徴とする。【選択図】  図１
2005316720.tif 000002
【特許請求の範囲】
【請求項１】
車両の操作ペダルの表面側にその裏面側を被せるペダルカバー本体と、上記ペダルカバー本体の裏面側の上下何れか一方の左右部分に基端を取り付けた左右の取付爪と、上記上下何れか他方の左右部分に両端を取り付けたアーム部材とより成り、上記取付爪の先端が上記アーム部材と上記ペダルカバー本体間に挿入される位置まで延び、上記車両の操作ペダルが上記取付爪と上記ペダルカバー本体との間に挟持固定されることを特徴とした車両用ペダルカバー。
【請求項２】
上記取付爪の基端と上記アーム部材の両端が夫々ビスによって上記ペダルカバー本体に取り付けられていることを特徴とする請求項１記載の車両用ペダルカバー。
【請求項３】
上記ペダルカバー本体と上記アーム部材間に上記取付爪片の先端部の左右方向への移動を規制する凸部を設けたことを特徴とする請求項１または２記載の車両用ペダルカバー。
【請求項４】
上記ペダルカバー本体に、上記ビスの先端部より大きく突出する床面保護用突出部を設けたことを特徴とする請求項２または３記載の車両用ペダルカバー。
【請求項５】
上記アーム部材の両端のビス取付部を上記アーム部材の中央本体部に比べてペダルカバー本体側に向って一段低くならしめたことを特徴とする請求項２，３または４記載の車両用ペダルカバー。
【請求項６】
車両の操作ペダルの表面側にその裏面側を被せるペダルカバー本体と、上記ペダルカバー本体の裏面側の上下何れか一方の左右部分に基端を取り付けた取付爪と、上記上下何れか他方の縁部に形成した板状突出部と、この板状突出部に形成したスリットとより成り、上記取付爪の先端が上記スリットに挿入される位置まで延び、上記車両の操作ペダルが上記取付爪と上記ペダルカバー本体との間に挟持固定されることを特徴とした車両用ペダルカバー。
【請求項７】
上記取付爪の基端が夫々ビスによって上記ペダルカバー本体に取り付けられていることを特徴とする請求項６記載の車両用ペダルカバー。
【請求項８】
上記ペダルカバー本体に上記操作ペダルの上端面に被さる脱落防止用の凸部を設けたことを特徴とする請求項１，２，３，４，５，６または７記載の車両用ペダルカバー。
【発明の詳細な説明】
【技術分野】
【０００１】
本発明は車両用ペダルカバー、特に車両のブレーキペダル、クラッチペダル又はアクセルペダル等の操作ペダルに後付で取り付けることができるペダルカバーに関するものである。
【背景技術】
【０００２】
図８は車両の操作ペダルに装着した従来の車両用ペダルカバーを裏側から見た斜視図を示し、１は車両のブレーキペダル等の略矩形状の操作ペダル、２は上記操作ペダル１の裏面中央部に先端を固定したペダルステイ、３は上記操作ペダル１の表面側にその裏面側を被せたペダルカバー本体、４は上記ペダルカバー本体３の四隅に近い４個所に設けた貫通孔、５は上記ペダルカバー本体３の表面側から裏面側に上記各貫通孔４を夫々貫通せしめた取付用ビス、６は上記ビス５にその基部が螺合された取付爪片、７は上記ビス５に螺合される取付爪片６の緩み、脱落防止用のナットである。
【０００３】
上記従来の車両用ペダルカバーにおいては、車両の操作ペダル１を上記各取付爪片６の先端部と上記ペダルカバー本体３とにより挟持せしめ、上記各ビス５を回動して上記取付爪片６に締め付けることにより上記ペダルカバー本体３を上記操作ペダル１に固定せしめている。
【０００４】
また、上記各取付爪片６は上記ビス５を中心として傾動自在となし得るので、形状の異なる矩形状の操作ペダルや変形した操作ペダルであっても上記各取付爪片６の先端部を傾動せしめて操作ペダルの四隅近くに係合せしめることができ、メーカーの違いや車種の違いに係わらず、大半の車種の操作ペダルに後付でペダルカバーを装着することができる。
【０００５】
上記のような従来の車両用ペダルカバーとしては例えば特許文献１に示すものがある。
【０００６】
【特許文献１】登録実用新案第３０８６８４０号公報（第３図）
【発明の開示】
【発明が解決しようとする課題】
【０００７】
然しながら、一部の日本車や輸入車においては操作ペダルが大きく変形しており、例えば図９に示すように車両の操作ペダル１の角部が大きく切り取られて略３角形状になっている場合には、上記従来の車両用ペダルカバーの一部の取付爪片６の先端部が操作ペダル１に届かず、ペダルカバー本体を操作ペダルに固定することができないという欠点があった。
【０００８】
本発明は上記の欠点を除くようにしたものである。
【課題を解決するための手段】
【０００９】
本発明の車両用ペダルカバーは、車両の操作ペダルの表面側にその裏面側を被せるペダルカバー本体と、上記ペダルカバー本体の裏面側の上下何れか一方の左右部分に基端を取り付けた左右の取付爪と、上記上下何れか他方の左右部分に両端を取り付けたアーム部材とより成り、上記取付爪の先端が上記アーム部材と上記ペダルカバー本体間に挿入される位置まで延び、上記車両の操作ペダルが上記取付爪と上記ペダルカバー本体との間に挟持固定されることを特徴とする。
【００１０】
上記取付爪の基端と上記アーム部材の両端は、夫々ビスによって上記ペダルカバー本体に取り付けられていることを特徴とする。
【００１１】
上記ペダルカバー本体と上記アーム部材間に、上記取付爪片の先端部の左右方向への移動を規制する凸部を設けたことを特徴とする。
【００１２】
上記ペダルカバー本体は、上記ビスの先端部より大きく突出する床面保護用突出部を設けたことを特徴とする。
【００１３】
上記アーム部材の両端のビス取付部は、上記アーム部材の中央本体部に比べてペダルカバー本体側に向って一段低くならしめたことを特徴とする。
【００１４】
本発明の車両用ペダルカバーは、車両の操作ペダルの表面側にその裏面側を被せるペダルカバー本体と、上記ペダルカバー本体の裏面側の上下何れか一方の左右部分に基端を取り付けた取付爪と、上記上下何れか他方の縁部に形成した板状突出部と、この板状突出部に形成したスリットとより成り、上記取付爪の先端が上記スリットに挿入される位置まで延び、上記車両の操作ペダルが上記取付爪と上記ペダルカバー本体との間に挟持固定されることを特徴とする。
【００１５】
上記取付爪の基端は、夫々ビスによって上記ペダルカバー本体に取り付けられていることを特徴とする。
【００１６】
上記ペダルカバー本体は、上記操作ペダルの上端面に被さる脱落防止用の凸部を設けたことを特徴とする。
【発明の効果】
【００１７】
本発明の車両用ペダルカバーによれば、大きく変形した操作ペダルであっても、確実に操作ペダルにペダルカバーを固定することができる。
【００１８】
また、取付爪の傾動を規制する凸部を上記取付爪の先端部を押えるアーム部材に設けたので、走行中の振動等によりアーム部材から取付爪が外れて操作ペダルから車両用ペダルカバー本体が外れる等のことがない。
【００１９】
また、ペダルカバー本体の裏面に上記ビスより突出した床面保護用の部材を設けたので、車両用ペダルカバーの固定用ビスによって床面が傷つけられることがない。
【００２０】
また、アーム部材の両端のビス螺合部を上記アーム部材の中央部本体部に比べてペダルカバー本体側に向って一段低くならしめたので上記ビスの長さを短くでき、車両用ペダルカバー全体の厚さを薄くすることができる。従って、例えば車両用ペダルカバーが厚くなり、クラッチペダルを床面まで踏み込んでもクラッチが切れなくなるようなことがなくなる。
【００２１】
また、２つの隅部においてビス及び取付爪片の代わりにスリットを有する板部材を用いれば、部品点数を減らすことができる。
【発明を実施するための最良の形態】
【００２２】
以下図面によって本発明の実施例を説明する。
【実施例１】
【００２３】
本発明の車両用ペダルカバーにおいては図１に示すように、アーム部材８を用い、ペダルカバー本体３の四隅のうち図１における上部左右の隅部の取付用ビス５ａ，５ａに上記アーム部材８の両端部を螺合せしめ、同じく下部左右の隅部の取付用ビス５ｂ，５ｂに取付爪片６の基部を螺合せしめ、この取付爪片６の先端部を延長せしめ、上記アーム部材８と上記ペダルカバー本体３の裏面間に挿入せしめる。
【００２４】
なお９は、上記ペダルカバー本体３の下端部を直角に折り曲げて、上記ビス５の先端部より外方に突出せしめた床面保護用の板状突出部である。
【００２５】
本発明の車両用ペダルカバーは上記のような構成であるから、上記各ビス５ａ，５ａ，５ｂ，５ｂを上記アーム部材８と上記取付爪片６に対し締め付けることにより車両の操作ペダル１が上記各取付爪片６と上記ペダルカバー本体３とにより挟持され、上記ペダルカバー本体３が上記操作ペダル１に固定されるようになる。
【００２６】
本発明のこの実施例によれば、車両の操作ペダルの角部が大きく切り取られている等形状が大きく変形した操作ペダルであってもこれに確実に車両用ペダルカバーを固定することができる。
【００２７】
また、従来の車両用ペダルカバーにおいては、取付爪片６はその基部のみをビス５により固定し、上記取付爪片６の先端部で操作ペダル１を挟持するので、上記取付爪片６が長くなるほど、車両用ペダルカバー本体の固定が不安定になるが、本発明においては、上記取付爪片６の基部はビス５により固定され、上記取付爪片６の先端部はアーム部材８により押さえつけられ、上記取付爪片６の中央部で上記操作ペダル１を挟持するようになるので、上記取付爪片６の長さに係わらず強固に上記操作ペダル１を挟持することができる。
【００２８】
また、車両の操作ペダル１が小さい場合でも、図２に示すように、上記左右の取付爪片６，６を夫々上記取付用ビス５ｂ，５ｂを中心として上記操作ペダル１の中心側に傾動せしめればこれを確実に固定することができる。
【００２９】
また、図３に示すように、例えば左側の取付爪片６を略垂直にし、右側の取付爪片６を上記操作ペダル１の中心側に傾斜せしめれば、車両の操作ペダル１に対してペダルカバー本体３を図３において右側に移動し、操作ペダル１に対して車両用ペダルカバーを右側に取り付けることができ、車両用ペダルカバーの操作ペダルに対する取付位置の自由度を高めることができる。
【００３０】
また、上記床面保護用の突出部９を設ければ、上記操作ペダル１を踏み込んだときに上記取付用ビス６の先端が車両の床に当たる前に上記床面保護用の板状突出部９の端面が床面に当たるので取付用ビス６によって床面を傷つけることがない。
【００３１】
なお、上記アーム部材８の表面に上記ペダルカバー本体３側に突出する凸部（図示せず）を設ければ、走行中の振動等により上記アーム部材８にその先端を係合せしめた上記各取付爪片６が外側又は内側に必要以上に傾動するのが阻止され、上記アーム部材８と上記取付爪片６との係合が外れて操作ペダルから車両用ペダルカバーが外れる等のことを防止できる。なお、上記取付用ビス５ａ，５ａ自体に上記凸部と同様の機能を持たせることができる。
【００３２】
また、上記ペダルカバー本体３の各隅部における上記取付用ビス５ａ，５ａ，５ｂ，５ｂの貫通孔４を２以上設け、そのいずれかを選択して上記取付用ビス５ａ，５ａ，５ｂ，５ｂを貫通するようにしてもよい。
【００３３】
また、上記ペダルカバー本体３の表面側に上記ペダルカバー本体３を覆うフェイスパネル（図示せず）を更に設けるようにしてもよい。
【実施例２】
【００３４】
本発明の第２の実施例においては図４及び図５に示すように、両端のビス螺合部を中央本体部に比べて夫々ペダルカバー本体１側に向って一段低くならしめた折れ曲がり部１０を有するアーム部材１１を用い、上記ペダルカバー本体３の四隅のうち下部左右の隅部の取付用ビス５ｂ，５ｂに上記アーム部材１１の両端折れ曲がり部１０を螺合せしめ、上記ペダルカバー本体３の四隅のうち上部左右の隅部の取付用ビス５ａ，５ａに取付爪片６の基部を螺合しこの取付爪片６の先端部を上記アーム部材１１に係合するまで延長せしめる。
【００３５】
また、上記ペダルカバー本体３の裏面上部に上記操作ペダル１の上端面に被さるように外方に延びるペダルカバー脱落防止用の凸部１２を設ける。このようにすれば上記ペダルカバー本体３が上記操作ペダル１から下方に脱落するのを防ぐことができる。
【００３６】
なお図５に示すように、上記取付爪片６の先端部裏面に外方に突出する外れ防止用爪１３を設け、上記アーム部材１１の表面上端縁に上記外れ防止用爪１３に係合するよう内方に突出した凸部１４を設ける。
【００３７】
本発明のこの実施例においても第１の実施例と同様に、上記各ビス５ａ，５ａ，５ｂ，５ｂを上記アーム部材１１と上記取付爪片６に対し締め付けることにより、車両の操作ペダル１が上記各取付爪片６と上記ペダルカバー本体３とにより挟持され、上記ペダルカバー本体３が上記操作ペダル１に確実に固定されるようになり、形状が大きく変形した操作ペダルであっても車両用ペダルカバーを固定することができ、車両用ペダルカバーの操作ペダルに対する取付位置の自由度を高めることができる。
【００３８】
また、上記アーム部材１１の両端のビス螺合部をペダルカバー本体３側に一段低くならしめたので、上記取付用ビスの長さを短くでき、車両用ペダルカバー全体の厚さを薄くすることができる。従って、例えばビスが長く、そのぶん車両用ペダルカバーが厚くなり、クラッチペダルを床面まで踏み込んでもクラッチが切れなくなるようなことがなくなる。また、上記取付用ビス６の先端が車両の床に当たる前に上記アーム部材１１の中央本体部が床面に当たるので取付用ビス６によって床面を傷つけることがない。
【００３９】
また、上記取付爪部６の外れ防止爪１３が上記アーム部材１１の凸部１４に係合しているため、走行中の振動等により上記取付爪片６が上記操作ペダル１の中心部に傾動して上記アーム部材１１から係合が外れる等のことを防止することができる。
【００４０】
なお、第１の実施例のように、上記アーム部材１１の表面に凸部（図示せず）を設け、上記アーム部材１１にその先端を係合せしめた上記各取付爪片６が外側又は内側に必要以上に傾動しないようにしてもよい。
【００４１】
また、上記ペダルカバー本体３の各隅部における上記取付用ビス５ａ，５ａ，５ｂ，５ｂの貫通孔４を２以上設け、そのいずれかを選択して上記取付用ビス５ａ，５ａ，５ｂ，５ｂを貫通するようにしてもよい。
【実施例３】
【００４２】
本発明の第３の実施例においては図６に示すように、上記従来のペダルカバー本体３の下部左右の隅部の貫通孔４，４、取付用ビス５ｂ，５ｂ、取付爪片６，６を設けず、代わりに、ペダルカバー本体３の裏面下端部に外方に直角に折り曲げた板状折り曲げ部１５を設け、この折り曲げ部１５の左右２個所に夫々一定の間隔をあけて左右方向に平行に延びる複数のスリット１６を設け、上記ペダル本体３の上部左右の隅部の取付用ビス５ａ，５ａに螺合した取付爪片６の先端部を上記スリット１６に挿入されるまで延長せしめる。
【００４３】
また、上記ペダルカバー本体３の裏面上部に上記操作ペダル１の上端面に被さるように外方に延びるペダルカバー脱落防止用の凸部１２を設ける。
【００４４】
本発明のこの実施例においては上記各取付爪片６の先端部を夫々上記スリット１６に挿入せしめ、車両の操作ペダル１を上記各取付爪片６と上記ペダルカバー本体３とにより挟持せしめ、上記各ビス５ａ，５ａを締め付けることにより上記ペダルカバー本体３を上記操作ペダル１に固定せしめることができ、大きく変形した操作ペダルであっても車両用ペダルカバーを確実に固定することができ、車両用ペダルカバーの操作ペダルに対する取付位置の自由度を高めることができる。
【００４５】
なお、上記ペダルカバー本体３の各隅部における上記取付用ビスを貫通せしめる貫通孔４を２以上設け、いずれかを選択して上記取付用ビスを貫通できるようにしてもよく、また、上記ペダルカバー本体３の各隅部において複数の貫通孔４を設ける代わりに、図７に示すように長孔１７を設け所望の位置で各取付用ビス６を貫通できるようにしてもよい。
【００４６】
また、図７に示すように、上記左右のスリット１６を夫々複数の個々のスリット１８により構成せしめてもよく、また、折り曲げ部１５をペダルカバー本体３に対して別体に設け、着脱自在ならしめてもよい。
【図面の簡単な説明】
【００４７】
【図１】本発明の車両用ペダルカバーを操作ペダルに固定した状態を示す背面斜視図である。
【図２】本発明の車両用ペダルカバーの使用状態説明用の背面図である。
【図３】本発明の車両用ペダルカバーの他の使用状態説明用の背面図である。
【図４】本発明の他の実施例の車両用ペダルカバーを操作ペダルに固定した状態を示す背面斜視図である。
【図５】本発明の車両用ペダルカバーの他の実施例の分解斜視図である。
【図６】本発明の車両用ペダルカバーの更に他の実施例の斜視図である。
【図７】本発明の車両用ペダルカバーの更に他の実施例の斜視図である。
【図８】従来の車両用ペダルカバーの操作ペダルに固定した状態を示す背面斜視図である。
【図９】従来の車両用ペダルカバーの説明用背面斜視図である。
【符号の説明】
【００４８】
１    操作ペダル
２    ペダルステイ
３    ペダルカバー本体
４    貫通孔
５    取付用ビス
５ａ  取付用ビス
５ｂ  取付用ビス
６    取付爪片
７    ナット
８    アーム部材
９    突出部
１０    折れ曲がり部
１１    アーム部材
１２    凸部
１３    外れ防止用爪
１４    凸部
１５    折り曲げ部
１６    スリット
１７    長孔
１８    スリット
【図１】
2005316720.tif 000003
【図２】
2005316720.tif 000004
【図３】
2005316720.tif 000005
【図４】
2005316720.tif 000006
【図５】
2005316720.tif 000007
【図６】
2005316720.tif 000008
【図７】
2005316720.tif 000009
【図８】
2005316720.tif 000010
【図９】
2005316720.tif 000011